(57)【要約】【課題】マスターディスクを複製する際、劣化を防止した上で複製先の記録媒体のレーベル面に対してマスターディスクのレーベル面と同様の画像を記録する。【解決手段】画像データと、記録データとが指定された上でマスターディスクの発行が指示された場合、レーベル面に画像データの画像を記録し、かつ、画像データをレーベル面印刷専用の所定のフォーマットのデータにして記録データと共に記録面に記録することによってマスターディスクを発行し、マスターディスクの複製が指示された場合であって、マスターディスクに所定のフォーマットのデータが記憶されている場合には、当該データに係る画像を複製先の記録媒体のレーベル面に記録すると共に、記録データを複製先の記録媒体の記録面に記録する。【選択図】図１
2011070736.tif 000002
【特許請求の範囲】
【請求項１】
記録媒体の記録面にデータを書き込む記録部と、記録媒体のレーベル面に画像を記録する印刷部と、を備え、
記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行し、
前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録すること、を特徴とする記録媒体発行装置。
【請求項２】
前記マスターディスクの複製が指示された場合であって、前記マスターディスクの記録面から読み取ったデータに前記所定のフォーマットのデータが含まれている場合には、この所定フォーマットのデータに係る画像を複製先の記録媒体のレーベル面に記録すると共に、前記マスターディスクの記録面から読み取った前記記録データに加え、前記所定のフォーマットのデータを複製先の記録媒体の記録面に記録すること、を特徴とする請求項１に記載の記録媒体発行装置。
【請求項３】
前記記録部と印刷部との間で記録媒体を搬送する搬送部とをさらに備え、前記マスターディスクの複製を連続して複数枚発行可能なことを特徴とする請求項１又は２に記載の記録媒体発行装置。
【請求項４】
記録媒体発行装置を制御して、記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行し、前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録すること、を特徴とする記録媒体発行装置の制御方法。
【請求項５】
記録媒体発行装置を制御する制御部により実行されるプログラムであって、
前記制御部を
記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行するよう機能させると共に、
前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録させるよう機能させることを特徴とするプログラム。
【発明の詳細な説明】
【技術分野】
【０００１】
本発明は、記録媒体のレーベル面への画像の記録、及び、記録面へのデータの記録が可能な記録媒体発行装置、この記録媒体発行装置の制御方法、及び、記録媒体発行装置を制御するためのプログラムに関する。
【背景技術】
【０００２】
従来、ディスク型の記録媒体たる光ディスクのレーベル面に印刷部によって画像を記録し、かつ、光ディスクの記録面に書き込み部によってデータを書き込む装置が知られている（例えば、特許文献１参照）。この種の装置は例えば以下のように利用される。すなわち、レーベル面に所定の画像が印刷され、かつ、記録面に所定のデータが記録されたマスターディスクを予め発行しておく。そして、マスターディスクの複製を作成する際は、マスターディスクの記録面に記録されたデータを読み込み、複製先の光ディスクの記録面に記録すべきデータを生成すると共に、マスターディスクのレーベル面の画像をスキャナー等を利用して光学的に読み込み、読み込んだ画像に基づいて複製先の光ディスクのレーベル面に記録すべき画像に係るデータを生成する。そして、記録面に記録すべきデータを上述した装置の書き込み部によって複製先の光ディスクの記録面に書き込むと共に、レーベル面に記録すべき画像に係るデータに基づいて印刷部によって複製先の光ディスクのレーベル面に画像を記録する。
【先行技術文献】
【特許文献】
【０００３】
【特許文献１】特開２００９−２６０２５号公報
【発明の概要】
【発明が解決しようとする課題】
【０００４】
しかしながら、上述した装置を利用して、マスターディスクの複製を作成する場合、マスターディスクのレーベル面の画像を光学的に読み込み、読み込んだ画像から生成したデータに基づいて複製先の光ディスクのレーベル面への画像の印刷を行うため、複製先の光ディスクのレーベル面に印刷された画像の状態が、マスターディスクと比較して劣化した状態となってしまうという問題がある。
本発明は、上述した事情に鑑みてなされたものであり、マスターディスクを複製する際、劣化を防止した上で複製先の記録媒体のレーベル面に対して画像の記録が可能な記録媒体発行装置、記録媒体発行装置の制御方法、プログラムを提供することを目的とする。
【課題を解決するための手段】
【０００５】
上記目的を達成するために、本発明は、記録媒体の記録面にデータを書き込む記録部と、記録媒体のレーベル面に画像を記録する印刷部と、を備え、記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行し、前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録すること、を特徴とする。
この構成によれば、マスターディスクを発行する場合、マスターディスクの記録面に、記録データの他に、マスターディスクのレーベル面の画像データであって、レーベル面印刷専用ファイルフォーマットのデータが記録される。そして、マスターディスクの複製が指示された場合、マスターディスクの記録面に記録されたレーベル面印刷専用ファイルフォーマットのデータに係る画像が複製先の記録媒体のレーベル面に記録される。このため、画像の劣化を防止した上で、複製先の記録媒体のレーベル面に、マスターディスクのレーベル面の画像と同様の画像を記録することができる。
特に、上記構成によれば、マスターディスクのレーベル面の画像に係るデータは、レーベル面印刷専用ファイルフォーマットのデータとしてマスターディスクの記録面に記録される。従って、データのファイルフォーマットに基づいて、マスターディスクの記録面に記録されたデータ全体から、マスターディスクのレーベル面の画像に係るデータを確実に抽出可能である。
【０００６】
また、上記発明の記録媒体発行装置において、前記マスターディスクの複製が指示された場合であって、前記マスターディスクの記録面から読み取ったデータに前記所定のフォーマットのデータが含まれている場合には、この所定フォーマットのデータに係る画像を複製先の記録媒体のレーベル面に記録すると共に、前記マスターディスクの記録面から読み取った前記記録データに加え、前記所定のフォーマットのデータを複製先の記録媒体の記録面に記録するようにしてもよい。
この構成によれば、複製後の記録媒体に、マスターディスクのレーベル面の画像に係る所定フォーマットのデータが記録されることとなる。従って、複製後の記録媒体のさらに複製を行った場合でも、画像の劣化を防止した上で、複製先の記録媒体のレーベル面にマスターディスクのレーベル面の画像と同様の画像を記録することができる。つまり、複製した記録媒体のいずれも、マスターディスクとして利用することが可能となり、マスターディスクの紛失によってマスターディスクの複製を発行できなくなってしまうリスクを軽減できると共に、ユーザーの利便性の向上を図ることができる。
【０００７】
また、上記発明の記録媒体発行装置において、前記記録部と印刷部との間で記録媒体を搬送する搬送部とをさらに備え、前記マスターディスクの複製を連続して複数枚発行可能なようにしてもよい。
この構成によれば、画像の劣化が防止された上でマスターディスクのレーベル面の画像と同様の画像が記録された記録媒体を、連続して複数枚発行でき、ユーザーの利便性の向上を図れる。
【０００８】
また、上記目的を達成するために、本発明は、記録媒体発行装置を制御して、記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行し、前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録すること、を特徴とする。
この制御方法によれば、マスターディスクを発行する場合、マスターディスクの記録面に、記録データの他、マスターディスクのレーベル面の画像データであって、レーベル面印刷専用ファイルフォーマットのデータが記録される。そして、マスターディスクの複製が指示された場合、マスターディスクの記録面に記録されたレーベル面印刷専用ファイルフォーマットのデータに係る画像が、複製先の記録媒体のレーベル面に記録される。このため、画像の劣化を防止した上で、複製先の記録媒体のレーベル面に、マスターディスクのレーベル面の画像と同様の画像を記録することができる。特に、マスターディスクのレーベル面の画像に係るデータは、レーベル面印刷専用ファイルフォーマットのデータとしてマスターディスクの記録面に記録される。従って、データのファイルフォーマットに基づいて、マスターディスクの記録面に記録されたデータ全体から、マスターディスクのレーベル面の画像に係るデータを確実に抽出可能である。
【０００９】
また、上記目的を達成するために、本発明は、記録媒体発行装置を制御する制御部により実行されるプログラムであって、前記制御部を記録媒体のレーベル面に記録する画像に係る画像データと、記録媒体の記録面に記録する記録データとが指定された上でマスターディスクの発行が指示された場合、記録媒体のレーベル面に前記画像データに係る画像を記録し、かつ、前記画像データをレーベル面印刷専用の所定のフォーマットのデータにして前記記録データと共に当該記録媒体の記録面に記録することによってマスターディスクを発行するよう機能させると共に、前記マスターディスクの複製が指示された場合には、前記マスターディスクの記録面に記録されたデータを読み取り、読み取ったデータに前記所定のフォーマットのデータが含まれているか否かを判別し、前記所定のフォーマットのデータが含まれている場合には、この所定フォーマットのデータに係る画像を複製先の記録媒体のレーベル面に記録すると共に、前記マスターディスクの記録面から読み取った前記記録データを複製先の記録媒体の記録面に記録させるよう機能させることを特徴とする。
このプログラムを実行すれば、マスターディスクを発行する場合、マスターディスクの記録面に、記録データの他、マスターディスクのレーベル面の画像データであって、レーベル面印刷専用ファイルフォーマットのデータが記録される。そして、マスターディスクの複製が指示された場合、マスターディスクの記録面に記録されたレーベル面印刷専用ファイルフォーマットのデータに係る画像が、複製先の記録媒体のレーベル面に記録される。このため、画像の劣化を防止した上で、複製先の記録媒体のレーベル面に、マスターディスクのレーベル面の画像と同様の画像を記録することができる。特に、マスターディスクのレーベル面の画像に係るデータは、レーベル面印刷専用ファイルフォーマットのデータとしてマスターディスクの記録面に記録される。従って、データのファイルフォーマットに基づいて、マスターディスクの記録面に記録されたデータ全体から、マスターディスクのレーベル面の画像に係るデータを確実に抽出可能である。
【発明の効果】
【００１０】
本発明によれば、マスターディスクを複製する際、劣化を防止した上で複製先の記録媒体のレーベル面に対して、マスターディスクと同様の画像の記録が可能となる。
【図面の簡単な説明】
【００１１】
【図１】本実施形態に係る記録媒体発行装置の機能的構成を示すブロック図。
【図２】記録媒体発行装置の動作を示すフローチャートである。
【図３】記録媒体発行装置の動作を示すフローチャートである。
【図４】第２実施形態に係るディスクパブリッシャーを示すブロック図である。
【発明を実施するための形態】
【００１２】
以下、図面を参照して本発明の実施形態について説明する。
＜第１実施形態＞
図１は、本実施形態に係るホストコンピューター１、及び、このホストコンピューター１に接続されたディスクパブリッシャー２の機能的構成を示すブロック図である。本実施形態では、これらホストコンピューター１とディスクパブリッシャー２とが協働して記録媒体発行装置３として機能する。
ホストコンピューター１は、制御部１０と、表示部１１と、入力部１２と、光ディスクドライブ１３と、記憶部１４と、インターフェイス部１５とを備えている。
制御部１０は、ホストコンピューター１の各部を中枢的に制御するものであり、演算実行部としてのＣＰＵや、このＣＰＵに実行される基本制御プログラムをコンピューターに読み取り可能な形態で不揮発的に記憶するＲＯＭ、ＣＰＵに実行されるプログラムやこのプログラムに係るデータ等を一時的に記憶するＲＡＭ、その他の周辺回路等を備えている。制御部１０は、マスターディスクを発行するマスターディスク発行部１６と、複製ディスクを発行する複製ディスク発行部１７とを備えている。これらマスターディスク発行部１６及び複製ディスク発行部１７の機能、及び、動作については後述する。
【００１３】
表示部１１は、液晶ディスプレーパネルや、有機ＥＬパネル等の表示パネルを備え、制御部１０の制御の下、表示パネルに各種情報を表示する。
入力部１２は、マウスやキーボード等の入力デバイスに接続され、これら入力デバイスの出力信号を制御部１０に出力する。
光ディスクドライブ１３は、ディスク型の記録媒体である光ディスクに対して読み書きするための装置である。光ディスクとしては、例えば、ＣＤ−Ｒ，ＣＤ−ＲＷ，ＤＶＤ−Ｒ，ＤＶＤ−ＲＷ，ＤＶＤ−ＲＡＭ、あるいは、次世代ＤＶＤと呼ばれる光ディスク等が存在する。
記憶部１４は、ハードディスクや、ＥＥＰＲＯＭ等を備え、各種データを書き換え可能に記憶する。この記憶部１４には、例えば、後述する記録データや、画像データが記憶される。
インターフェイス部１５は、信号伝送ケーブル等を介してディスクパブリッシャー２に接続され、制御部１０の制御の下、ディスクパブリッシャー２との間で各種信号を送受信する。
【００１４】
一方、ディスクパブリッシャー２は、レーベル面に所定の画像が記録され、かつ、記録面に所定のデータが記録された記録媒体を指定された枚数だけ、連続して自動で発行する装置であり、パブリッシャー側制御部２１と、印刷装置２２（印刷部）と、光ディスク書込装置２３（記録部）と、ストッカー２４と、搬送装置２５（搬送部）と、インターフェイス部２６とを備えている。
パブリッシャー側制御部２１は、ディスクパブリッシャー２の各部を中枢的に制御するものであり、制御部１０と同様、ＣＰＵ、ＲＯＭ、ＲＡＭその他周辺回路を備えている。
印刷装置２２は、例えばインクジェットプリンターによって構成され、パブリッシャー側制御部２１の制御の下、記録媒体たる光ディスクのレーベル面に所定の画像を印刷する。
光ディスク書込装置２３は、パブリッシャー側制御部２１の制御の下、記録媒体たる光ディスクの記録面に所定のデータを記録する。本実施形態に係るディスクパブリッシャー２は、２台の光ディスク書込装置２３を備えており、同時並行的に、２枚の記録媒体に対してデータの書き込みが可能とされ、処理効率の向上が図られている。
ストッカー２４は、データ及び画像の記録前の記録媒体を収納し、また、データ及び画像の記録後の記録媒体を収納する。
搬送装置２５は、データ及び画像の記録前の記録媒体が収納された所定のストッカー２４から記録媒体を１枚ずつ取り出し、取り出した記録媒体を印刷装置２２又は光ディスク書込装置２３に供給し、また、印刷装置２２と光ディスク書込装置２３との間で記録媒体搬送し、また、データ及び画像の記録後の記録媒体を所定のストッカー２４に搬送する。
インターフェイス部２６は、信号伝送ケーブル等を介してホストコンピューター１に接続され、パブリッシャー側制御部２１の制御の下、ホストコンピューター１との間で各種信号を送受信する。
【００１５】
これらホストコンピューター１、及び、ディスクパブリッシャー２は、協働して、記録面に所定のデータが記録され、かつ、レーベル面に所定の画像が記録された記録媒体を所定枚数連続して発行可能である。
より詳細には、ホストコンピューター１の制御部１０は、発行予定の記録媒体の記録面に記録すべきデータ（以下、「記録データ」という）に基づいて、ディスクイメージファイルを生成する。ここで、記録データとしては、例えば、ホストコンピューター１の光ディスクドライブ１３を利用して所定の音楽ＣＤから読み取った音楽データや、ホストコンピューター１にインストールされた専用のソフトウェアを利用して作成した所定のファイルフォーマットのデータ、ホストコンピューター１がインターネットに接続されている場合は、インターネット上の所定のサーバーからダウンロードしたデータ等がある。
【００１６】
次いで、制御部１０は、ユーザーによって指定された所定枚数の記録媒体について、ディスクパブリッシャー２のコマンド仕様に対応した制御データであって、上記生成したディスクイメージファイルを各記録媒体の記録面に記録させ、かつ、発行予定の記録媒体の記録面に記録すべき画像に係るデータ（以下、「画像データ」という）に対応する画像を各記録媒体のレーベル面に記録させるようディスクパブリッシャー２を動作させるための制御データを生成し、パブリッシャー側制御部２１に出力する。パブリッシャー側制御部２１は、制御部１０から入力された制御データに基づいて、印刷装置２２、光ディスク書込装置２３、及び、搬送装置２５を制御し、上述したディスクイメージファイルが記録面に記録され、かつ、所定の画像がレーベル面に記録された記録媒体を指定された枚数だけ発行する。
ここで、画像データとしては例えば以下のデータがある。すなわち、本実施形態では、表示パネルに表示されたレーベル面の画像のイメージを参照しつつ、マウスやキーボード等の入力デバイスを操作して、レーベル面に記録すべき画像のレイアウトやデザイン等をユーザーが設定でき、このユーザーによる設定に基づいてレーベル面印刷専用の所定のファイルフォーマットのデータを生成する専用のソフトウェアがホストコンピューター１にインストールされている。そして、画像データとしては、このソフトウェアによって生成されたデータがある。その他、画像データとしては、例えば、ホストコンピューター１がインターネットに接続されている場合は、光ディスクのレーベル面に記録すべき画像に係るデータとして所定のサーバーに記憶されているデータがある。この場合の画像データのファイルフォーマットは、上述したレーベル面印刷専用の所定のファイルフォーマットであるとは限らない。
なお、ホストコンピューター１は、少なくとも、レーベル面印刷専用の所定のファイルフォーマットのデータに基づいて、ディスクパブリッシャー２に当該データに係る画像を記録媒体のレーベル面に記録させるための制御データを生成することができる。
【００１７】
次いで、ホストコンピューター１の制御部１０のマスターディスク発行部１６の動作についてフローチャートを用いて説明する。
図２は、マスターディスク発行部１６の動作を示すフローチャートである。マスターディスク発行部１６の機能は、制御部１０のＣＰＵがＲＯＭに記憶されたプログラムを実現する等、ソフトウェアとハードウェアとの協働によって実現される。
ここで、マスターディスクとは、将来記録媒体の複製（以下、「複製ディスク」という）を行う場合に、複製元となる記録媒体のことであり、このマスターディスクの記録面に記録されたデータが、複製ディスクにコピーされ、かつ、マスターディスクのレーベル面と同様の画像が後述する方法によって複製ディスクのレーベル面に記録されることにより、複製ディスクが発行される。マスターディスクは、データのバックアップ機能も果たし、ユーザーは、このマスターディスクを物理的に保存しておくことによって、記録媒体発行装置３を利用して所望のタイミングで複製ディスクを発行することができる。
図２を参照して、マスターディスク発行部１６として機能する制御部１０は、マスターディスクの作成が指示されたか否かを監視する（ステップＳＡ１）。マスターディスク作成の指示は、ユーザーによって記録データ、及び、画像データが指定された上で、入力デバイスが操作されて行われる。以下の説明では、説明の便宜のため、記録データ、及び、画像データは記憶部１４に記録されているものとする。
【００１８】
マスターディスク発行の指示が行われた場合（ステップＳＡ１：ＹＥＳ）、制御部１０は、記憶部１４から記録データを取得する（ステップＳＡ２）。次いで制御部１０は、記憶部１４から画像データを取得する（ステップＳＡ３）。次いで制御部１０は、取得した画像データのファイルフォーマットを参照し、ファイルフォーマットが上述したレーベル面印刷専用ファイルフォーマットである場合は当該データについてこのファイルフォーマットを維持し、ファイルフォーマットがレーベル面印刷専用ファイルフォーマットでない場合は当該データについて、ファイルフォーマットをレーベル面印刷専用ファイルフォーマットに変換する（ステップＳＡ４）。ホストコンピューター１には、記録媒体たる光ディスクのレーベル面に記録する画像に係るデータとして取り得る複数のファイルフォーマット（例えば、ビットマップファイルフォーマットや、ＪＰＥＧファイルフォーマット）をレーベル面印刷専用ファイルフォーマットに変換するソフトウェアが予めインストールされており、このソフトウェアに係るプログラムを実行することによって、各種ファイルフォーマットをレーベル面印刷専用ファイルフォーマットに変換する。
【００１９】
次いで制御部１０は、ステップＳＡ２で取得した記録データ、及び、ステップＳＡ４でファイルフォーマットを調整した画像データに基づき、これらデータを含むディスクイメージファイルを生成する（ステップＳＡ５）。つまり、本実施形態では、ディスクイメージファイルには、レーベル面印刷専用ファイルフォーマットのデータが含まれている。
ついで制御部１０は、ステップＳＡ５で生成したディスクイメージファイルを記録媒体の記録面に記録させ、かつ、ステップＳＡ３で取得した画像データに係る画像を記録媒体のレーベル面に記録させるようディスクパブリッシャー２を動作させる制御データを生成し、パブリッシャー側制御部２１に出力する（ステップＳＡ６）。パブリッシャー側制御部２１は、制御部１０から入力された制御データに基づいて、印刷装置２２、光ディスク書込装置２３、及び、搬送装置２５を制御して、記録媒体の記録面にディスクイメージファイルを記録すると共に、レーベル面に画像を記録することにより、マスターディスクを発行する。
このように、本実施形態に係る記録媒体発行装置３によってマスターディスクを発行する場合、マスターディスクの記録面には、当該マスターディスクのレーベル面の画像を示すデータであって、レーベル面印刷専用ファイルフォーマットのデータが記録される。
【００２０】
次いで、ホストコンピューター１の制御部１０の複製ディスク発行部１７の動作、具体的には、マスターディスクに基づいて複製ディスクを発行する際の記録媒体発行装置３の動作についてフローチャートを用いて説明する。
図３は、複製ディスク発行部１７の動作を示すフローチャートである。複製ディスク発行部１７の機能は、制御部１０のＣＰＵがＲＯＭに記憶されたプログラムを実現する等、ソフトウェアとハードウェアとの協働によって実現される。
なお、図３に示すフローチャートの動作の前提として、光ディスクドライブ１３を用いてマスターディスクの記録面に記録されたディスクイメージファイルが読み取られ、読み取られたディスクイメージファイルに係るデータが記憶部１４に記憶されているものとする。
図３を参照して、複製ディスク発行部１７として機能する制御部１０は、複製ディスクの作成が指示されたか否かを監視する（ステップＳＢ１）。複製ディスク作成の指示は、ユーザーによって入力デバイスが操作されて行われる。複製ディスクの作成が指示された場合（ステップＳＢ１：ＹＥＳ）、制御部１０は、記憶部１４に記憶されたディスクイメージファイルを参照し、当該ディスクイメージファイル中に、レーベル面印刷専用ファイルフォーマットのデータが存在するか否かを分析する（ステップＳＢ２）。本実施形態では、マスターディスクのレーベル面の画像に係るデータは、レーベル面印刷専用ファイルフォーマットのデータとしてディスクイメージファイル中に存在するため、ファイルフォーマットに基づいてディスクイメージファイルにデータが存在するか否かを確実に検出可能である。
レーベル面印刷専用ファイルフォーマットのデータが存在しない場合（ステップＳＢ３：ＮＯ）、制御部１０は、ユーザーによって指定された枚数の複製ディスクについて、各複製ディスクの記録面にディスクイメージファイルを記録させるようディスクパブリッシャー２を動作させる制御データを生成し、生成した制御データをパブリッシャー側制御部２１に出力する（ステップＳＢ４）。パブリッシャー側制御部２１は、制御データに基づいて、光ディスク書込装置２３、及び、搬送装置２５を制御して、記録媒体の記録面にディスクイメージファイルを記録することによって指定された枚数の複製ディスクを発行する。
【００２１】
一方、レーベル面印刷専用ファイルフォーマットのデータが存在する場合（ステップＳＢ３：ＹＥＳ）、制御部１０は、ユーザーによって指定された枚数の複製ディスクについて、各複製ディスクの記録面にディスクイメージファイルを記録させ、かつ、各複製ディスクのレーベル面にレーベル面印刷専用ファイルフォーマットのデータに係る画像を記録させるようディスクパブリッシャー２を動作させる制御データを生成し、生成した制御データをパブリッシャー側制御部２１に出力する（ステップＳＢ５）。パブリッシャー側制御部２１は、制御データに基づいて、印刷装置２２、光ディスク書込装置２３、及び、搬送装置２５を制御して、記録媒体の記録面にディスクイメージファイルを記録し、かつ、レーベル面にレーベル面印刷専用ファイルフォーマットのデータに係る画像を記録することによって指定された枚数の複製ディスクを発行する。
上述したようにディスクイメージファイルには、マスターディスクのレーベル面の画像に係るデータであって、レーベル面印刷専用ファイルフォーマットのデータが含まれている。従って、複製ディスクのそれぞれの記録面には、レーベル面印刷専用ファイルフォーマットのデータが記録されることとなる。このため、複製ディスクを複製元としてさらに複製ディスクを発行する場合、新たに発行する複製ディスクのレーベル面に、レーベル面印刷専用ファイルフォーマットのデータに基づいて画像を記録することができる。つまり、マスターディスクを複製することによって発行した複製ディスクのそれぞれを、マスターディスクとして利用することができる。
【００２２】
以上説明したように、本実施形態では、マスターディスクを発行する場合、マスターディスクのレーベル面の画像に係る画像データをレーベル面印刷専用の所定のフォーマットのデータにした上で、当該データ、及び、記録データを含むディスクイメージファイルを記録媒体の記録面に記録することによってマスターディスクを発行する。そして、マスターディスクの複製が指示された場合には、マスターディスクの記録面に記録されたディスクイメージファイルを読み取り、読み取ったデータに上述した所定のフォーマットのデータが含まれているか否かを判別し、所定のフォーマットのデータが含まれている場合には、この所定フォーマットのデータに係る画像を複製先の記録媒体のレーベル面に記録すると共に、マスターディスクの記録面から読み取ったディスクイメージファイルを複製先の記録媒体の記録面に記録する。
これによれば、マスターディスクを発行する場合、マスターディスクの記録面に、記録データの他、マスターディスクのレーベル面の画像データであって、レーベル面印刷専用ファイルフォーマットのデータが記録される。そして、マスターディスクの複製が指示された場合、マスターディスクの記録面に記録されたレーベル面印刷専用ファイルフォーマットのデータに係る画像が、複製先の記録媒体のレーベル面に記録される。このため、画像の劣化を防止した上で、複製先の記録媒体のレーベル面に、マスターディスクのレーベル面の画像と同様の画像を記録することができる。
特に、マスターディスクのレーベル面の画像に係るデータは、レーベル面印刷専用ファイルフォーマットのデータとしてマスターディスクの記録面に記録される。従って、データのファイルフォーマットに基づいて、マスターディスクの記録面に記録されたデータ全体から、マスターディスクのレーベル面の画像に係るデータを確実に抽出可能である。
【００２３】
また、本実施形態では、複製ディスクの記録面に記録されるディスクイメージファイルには、マスターディスクのレーベル面の画像に係るデータであってレーベル面印刷専用ファイルフォーマットのデータが含まれている。
これによれば、複製ディスクのさらに複製を行った場合でも、画像の劣化を防止した上で、新たな複製ディスクのレーベル面にマスターディスクのレーベル面の画像と同様の画像を記録することができる。つまり、複製ディスクのいずれも、マスターディスクとして利用することが可能となり、マスターディスクの紛失によってマスターディスクの複製を発行できなくなってしまうリスクを軽減できると共に、ユーザーの利便性の向上を図ることができる。
【００２４】
また、本実施形態に係る記録媒体発行装置３のディスクパブリッシャー２は、記録媒体の記録面にデータを書き込む光ディスク書込装置２３と、記録媒体のレーベル面に画像を記録する印刷装置２２と、これら光ディスク書込装置２３と印刷装置２２との間で記録媒体を搬送する搬送装置２５とをさらに備え、マスターディスクの複製を連続して複数枚発行可能である。
これによれば、画像の劣化が防止された上でマスターディスクのレーベル面の画像と同様の画像が記録された複製ディスクを、連続して複数枚発行でき、ユーザーの利便性の向上を図れる。
【００２５】
＜第２実施形態＞
次いで、第２実施形態について説明する。
図４は、第２実施形態に係るディスクパブリッシャー２ｂの機能的構成を示すブロック図である。なお図４において図１と同一の構成要素については、同一の符号を付しその説明を省略する。
図４に示すように、ディスクパブリッシャー２ｂは、ホストコンピューター１と接続されていない。また、パブリッシャー側制御部２１ｂには、光ディスクドライブ１３ｂ、入力部１２ｂ、及び、表示部１１ｂが接続されている。これら光ディスクドライブ１３ｂ、入力部１２ｂ、及び、表示部１１ｂの機能は第１実施形態に係る光ディスクドライブ１３、入力部１２、及び、表示部１１の機能と同様である。
そして、本実施形態では、パブリッシャー側制御部２１ｂがマスターディスク発行部１６ｂと、複製ディスク発行部１７ｂとを備えている。つまり、マスターディスク発行部１６ｂとして機能するパブリッシャー側制御部２１ｂが図２のフローチャートに示す動作を実行することによりマスターディスクを発行すると共に、複製ディスク発行部１７ｂとして機能するパブリッシャー側制御部２１ｂが図３のフローチャートに示す動作を実行することにより複製ディスクを発行する。
この第２実施形態によれば、上述した第１の実施形態と同様の効果を得られる他、ディスクパブリッシャー２ｂ単体でマスターディスク、複製ディスクの発行が可能となり、ユーザーの利便性の向上を図ることができる。
なお、本実施形態では、ディスクパブリッシャー２ｂが記録媒体発行装置として機能する。
【００２６】
なお、上述した実施の形態は、あくまでも本発明の一態様を示すものであり、本発明の範囲内で任意に変形および応用が可能である。
例えば、ホストコンピューター１のみで、マスターディスク及び複製ディスクの発行を行うようにしてもよい。具体的には、ホストコンピューター１に記録媒体のレーベル面に画像を記録可能な印刷装置を接続し、この印刷装置を利用して、マスターディスク及び複製ディスクのレーベル面への画像の記録を行い、光ディスクドライブを利用して、マスターディスク及び複製ディスクの記録面へのデータの記録を行うようにしてもよい。この場合、ホストコンピューター１が記録媒体発行装置として機能する。
【符号の説明】
【００２７】
１…ホストコンピューター（記録媒体発行装置）、２、２ｂ…ディスクパブリッシャー（記録媒体発行装置）、３…記録媒体発行装置、１０…制御部、２１…パブリッシャー側制御部（制御部）、２２…印刷装置（印刷部）、２３…光ディスク書込装置（記録部）、２５…搬送装置（搬送部）。
【図１】
2011070736.tif 000003
【図２】
2011070736.tif 000004
【図３】
2011070736.tif 000005
【図４】
2011070736.tif 000006